(57)【要約】【課題】安全性を向上させることができる文書細断機及びそのためのアタッチメントを提供すること。【解決手段】内部に回転刃６が設けられた細断機本体１の外殻体２に、底部にスリット状の第一挿入口８が形成された第一凹部７を設け、この第一凹部７に設置されると共に前記第一挿入口８の短方向の寸法よりも太い、アタッチメントを構成する阻止手段としての円筒状の棒状体１７を設け、この棒状体１７が前記第一凹部７に設置された状態で前記第一挿入口８が前記棒状体１７によって閉塞されるので、幼い子供の細い指等であっても、前記第一挿入口８から挿入することができず、安全性を高めることができると共に、被細断物としての紙類Ｐを挿入する場合は、前記棒状体１７の円筒面と前記第一凹部７の斜面とで案内されるので、前記棒状体１７によって前記第一挿入口８が閉塞された状態であっても、前記紙類Ｐを細断することができる。【選択図】図２
2008080247.tif 000002
【特許請求の範囲】
【請求項１】
細断機本体を有し、この細断機本体の外殻体が、凹部と、この凹部の底部に形成されたスリット状の挿入口とを有すると共に、前記外殻体の内側に回転刃が設けられた文書細断機において、
前記文書細断機が、前記凹部に装着されるアタッチメントを有し、このアタッチメントが、前記挿入口の短方向の幅よりも太く形成され且つ前記凹部及び／又は挿入口と対向又は接触する突曲面が形成された阻止手段を有すると共に、被細断物が前記凹部及び／又は挿入口と阻止手段との間を通されて前記挿入口に挿入されるように構成されていることを特徴とする文書細断機。
【請求項２】
細断機本体を有し、この細断機本体の外殻体が、第一凹部と、この第一凹部の底部に形成されたスリット状の第一挿入口とを有すると共に、前記外殻体の内側に回転刃が設けられた文書細断機において、
前記文書細断機が、前記第一凹部に装着されるアタッチメントを有し、このアタッチメントが、枠体と阻止手段を有し、前記枠体が、第二凹部と、前記第一挿入口に対応して前記第二凹部の底部に形成された第二挿入口とを有し、前記阻止手段が、前記第二挿入口の短方向の幅よりも太く形成され且つ前記第二凹部及び／又は第二挿入口と対向又は接触する突曲面を有すると共に、被細断物が前記枠体の第二凹部及び／又は第二挿入口と阻止手段との間を通されて前記第二挿入口を経て第一挿入口に挿入されるように構成されていることを特徴とする文書細断機。
【請求項３】
前記阻止手段の少なくとも前記被細断物と当接する部分が回転体であることを特徴とする請求項１乃至２記載の文書細断機。
【請求項４】
スリット状の挿入口が底部に形成された凹部を有する外殻体及びこの外殻体の内側に設けられた回転刃を有する細断機本体の前記凹部に取り付けられるアタッチメントであって、
このアタッチメントが、前記挿入口の短方向の幅よりも太く形成され且つ前記凹部及び／又は挿入口と対向又は接触する突曲面が形成された阻止手段を有すると共に、被細断物が前記凹部及び／又は挿入口と阻止手段との間を通されて前記挿入口に挿入されるように構成されていることを特徴とするアタッチメント。
【請求項５】
スリット状の第一挿入口が底部に形成された第一凹部を有する外殻体及びこの外殻体の内側に設けられた回転刃を有する細断機本体の前記第一凹部に取り付けられるアタッチメントであって、
このアタッチメントが、枠体と阻止手段を有し、前記枠体が、第二凹部と、前記第一挿入口に対応して前記第二凹部の底部に形成された第二挿入口とを有し、前記阻止手段が、前記第二挿入口の短方向の幅よりも太く形成され且つ前記第二凹部及び／又は第二挿入口と対向又は接触する突曲面を有すると共に、被細断物が前記枠体の第二凹部及び／又は第二挿入口と阻止手段との間を通されて前記第二挿入口を経て第一挿入口に挿入されるように構成されていることを特徴とするアタッチメント。
【請求項６】
前記阻止手段の少なくとも前記被細断物と当接する部分が回転体であることを特徴とする請求項４乃至５記載のアタッチメント。
【発明の詳細な説明】
【技術分野】
【０００１】
本発明は、細断する紙等を挿入するための挿入口に指等が入りにくいようにした文書細断機及びこの文書細断機のためのアタッチメントに関するものである。
【背景技術】
【０００２】
従来、この種の文書細断機としては、内部に一対の回転刃を有すると共に、上面に紙挿入用のスリット（本発明の挿入口に相当する）が開口している細断機本体を有するものが知られている（例えば、特許文献１参照。）。そして、このような文書細断機では、前記筐体に紙を挿入しやすくするための凹部（本発明の凹部に相当する）が形成されており、前記スリットは、前記凹部の底部に形成されている。
【特許文献１】特開２００３−２３６４０１号公報
【発明の開示】
【発明が解決しようとする課題】
【０００３】
しかしながら、このような文書細断機においては、子供等の比較的細い指であれば、前記スリットに挿入することができてしまうので、安全上問題があった。
【０００４】
本発明は以上の問題点を解決し、安全性を向上させることができる文書細断機及びそのためのアタッチメントを提供することを目的とする。
【課題を解決するための手段】
【０００５】
本発明の請求項１に記載の文書細断機は、細断機本体を有し、この細断機本体の外殻体が、凹部と、この凹部の底部に形成されたスリット状の挿入口とを有すると共に、前記外殻体の内側に回転刃が設けられた文書細断機において、前記文書細断機が、前記凹部に装着されるアタッチメントを有し、このアタッチメントが、前記挿入口の短方向の幅よりも太く形成され且つ前記凹部及び／又は挿入口と対向又は接触する突曲面が形成された阻止手段を有すると共に、被細断物が前記凹部及び／又は挿入口と阻止手段との間を通されて前記挿入口に挿入されるように構成されているものである。
【０００６】
また、本発明の請求項２に記載の文書細断機は、細断機本体を有し、この細断機本体の外殻体が、第一凹部と、この第一凹部の底部に形成されたスリット状の第一挿入口とを有すると共に、前記外殻体の内側に回転刃が設けられた文書細断機において、前記文書細断機が、前記第一凹部に装着されるアタッチメントを有し、このアタッチメントが、枠体と阻止手段を有し、前記枠体が、第二凹部と、前記第一挿入口に対応して前記第二凹部の底部に形成された第二挿入口とを有し、前記阻止手段が、前記第二挿入口の短方向の幅よりも太く形成され且つ前記第二凹部及び／又は第二挿入口と対向又は接触する突曲面を有すると共に、被細断物が前記枠体の第二凹部及び／又は第二挿入口と阻止手段との間を通されて前記第二挿入口を経て第一挿入口に挿入されるように構成されているものである。
【０００７】
また、本発明の請求項３に記載の文書細断機は、請求項１乃至２において、前記阻止手段の少なくとも前記被細断物と当接する部分が回転体であるものである。
【０００８】
また、本発明の請求項４に記載のアタッチメントは、スリット状の挿入口が底部に形成された凹部を有する外殻体及びこの外殻体の内側に設けられた回転刃を有する細断機本体の前記凹部に取り付けられるアタッチメントであって、このアタッチメントが、前記挿入口の短方向の幅よりも太く形成され且つ前記凹部及び／又は挿入口と対向又は接触する突曲面が形成された阻止手段を有すると共に、被細断物が前記凹部及び／又は挿入口と阻止手段との間を通されて前記挿入口に挿入されるように構成されているものである。
【０００９】
また、本発明の請求項５に記載のアタッチメントは、スリット状の第一挿入口が底部に形成された第一凹部を有する外殻体及びこの外殻体の内側に設けられた回転刃を有する細断機本体の前記第一凹部に取り付けられるアタッチメントであって、このアタッチメントが、枠体と阻止手段を有し、前記枠体が、第二凹部と、前記第一挿入口に対応して前記第二凹部の底部に形成された第二挿入口とを有し、前記阻止手段が、前記第二挿入口の短方向の幅よりも太く形成され且つ前記第二凹部及び／又は第二挿入口と対向又は接触する突曲面を有すると共に、被細断物が前記枠体の第二凹部及び／又は第二挿入口と阻止手段との間を通されて前記第二挿入口を経て第一挿入口に挿入されるように構成されているものである。
【００１０】
更に、本発明の請求項６に記載のアタッチメントは、請求項４乃至５において、前記阻止手段の少なくとも前記被細断物と当接する部分が回転体であるものである。
【発明の効果】
【００１１】
本発明の請求項１に記載の文書細断機は、以上のように構成することにより、前記細断機本体の凹部に前記アタッチメントを取り付けることで、このアタッチメントの阻止手段によって前記挿入口が実質的に閉塞され、子供等の比較的細い指であっても、前記挿入口から挿入することができなくなるので、安全性を高めることができる。一方、前記被細断物は前記阻止手段の突曲面と前記凹部とで案内され、前記阻止手段と凹部との間を通されて前記挿入口に挿入されるので、前記阻止手段によって前記挿入口が実質的に閉塞された状態であっても、前記被細断物を細断することができる。
【００１２】
また、本発明の請求項２に記載の文書細断機は、以上のように構成することにより、前記細断機本体の第一凹部に前記アタッチメントを取り付けることで、このアタッチメントの阻止手段によって前記第二挿入口、ひいては前記第一挿入口が実質的に閉塞され、子供等の比較的細い指であっても、前記第二挿入口から前記第一挿入口へ挿入することができなくなるので、安全性を高めることができる。一方、前記被細断物は前記阻止手段の突曲面と前記第二凹部とで案内され、前記阻止手段と第二凹部との間を通されて前記第二挿入口を経て前記第一挿入口に挿入されるので、前記阻止手段によって前記第二挿入口、ひいては前記第一挿入口が実質的に閉塞された状態であっても、前記被細断物を細断することができる。
【００１３】
そして、前記阻止手段の少なくとも前記被細断物と当接する部分を回転体とすることにより、前記凹部（前記第二凹部）と前記阻止手段との間に前記被細断物を通す際に、前記阻止手段が前記被細断物の動きに連れ回りすることで、前記凹部（前記第二凹部）と前記阻止手段との間に前記被細断物を通す際の抵抗が小さくなり、前記阻止手段によって前記挿入口（前記第二挿入口）が実質的に閉塞された状態であっても、前記被細断物を前記挿入口（前記第二挿入口を経て前記第一挿入口）へ容易に挿入することができる。
【００１４】
また、本発明の請求項４に記載のアタッチメントは、以上のように構成することにより、前記細断機本体の凹部に取り付けることで、前記アタッチメントの阻止手段によって前記挿入口が実質的に閉塞され、子供等の比較的細い指であっても、前記挿入口から挿入することができなくなるので、前記文書細断機の安全性を高めることができる。一方、前記アタッチメントの阻止手段の突曲面と前記凹部とで前記被細断物が案内され、前記阻止手段と凹部との間を通されて前記挿入口に挿入されるので、前記阻止手段によって前記挿入口が実質的に閉塞された状態であっても、前記文書細断機によって前記被細断物を細断することができる。
【００１５】
また、本発明の請求項５に記載のアタッチメントは、以上のように構成することにより、前記細断機本体の第一凹部に取り付けることで、前記アタッチメントの阻止手段によって前記第二挿入口、ひいては前記第一挿入口が実質的に閉塞され、子供等の比較的細い指であっても、前記第二挿入口から前記第一挿入口へ挿入することができなくなるので、前記文書細断機の安全性を高めることができる。一方、前記アタッチメントの阻止手段の突曲面と前記第二凹部とで前記被細断物が案内され、前記阻止手段と第二凹部との間を通されて前記第二挿入口を経て前記第一挿入口に挿入されるので、前記阻止手段によって前記第二挿入口、ひいては前記第一挿入口が実質的に閉塞された状態であっても、前記文書細断機によって前記被細断物を細断することができる。
【００１６】
更に、前記阻止手段の少なくとも前記被細断物と当接する部分を回転体とすることにより、前記凹部（前記第二凹部）と前記阻止手段との間に前記被細断物を通す際に、前記阻止手段が前記被細断物の動きに連れ回りすることで、前記凹部（前記第二凹部）と前記阻止手段との間に前記被細断物を通す際の抵抗が小さくなり、前記阻止手段によって前記挿入口（前記第二挿入口）が実質的に閉塞された状態であっても、前記被細断物を前記挿入口（前記第二挿入口を経て前記第一挿入口）へ容易に挿入することができる。
【発明を実施するための最良の形態】
【００１７】
以下、本発明の第一の実施形態について、図１乃至図３に基づいて説明する。なお、図２及び図３において、右側が前、左側が後である。１は本発明の文書細断機を構成する細断機本体である。この細断機本体１は、上方が開口した図示しないダストケースの前記開口部に載置されるように構成されている。また、前記細断機本体１は、外殻体２と、ガイド部材３と、可動掛部４と、操作部５と、回転刃６とを有して構成されている。そして、前記外殻体２は、上外殻体２Ａと下外殻体２Ｂで構成されている。また、前記外殻体２を構成する上外殻体２Ａの上部には、細長い第一凹部７が形成されていると共に、この第一凹部７の底部には、被細断物としての紙類を挿入するためのスリット状の第一挿入口８が形成されている。一方、前記外殻体２を構成する下外殻体２Ｂの下部には、前記第一挿入口８に対応して、細長い開口部９が形成されている。なお、前記第一凹部７、第一挿入口８及び開口部９は、前記外殻体２の幅方向とほぼ平行に延びて形成されている。また、前記上筐体２Ａには、固定掛部１０が一体に形成されていると共に、前記上筐体２Ａにおける前記固定掛部１０の反対側には、前記可動掛部４が取り付けられている。なお、前記可動掛部４は、前記上筐体２Ａの幅方向にスライド可能に取り付けられていることによって、前記固定掛部１０との距離が調節可能に構成されている。また、前記ガイド部材３は、前記上外殻体２Ａと下外殻体２Ｂの間に挟持され、前記第一挿入口８と開口部９とを繋いで紙類を送る経路を構成するものであり、前記第一挿入口８の短方向の寸法（即ち隙間）とほぼ同じ幅のスリット状の孔１１が形成されている。そして、前記ガイド部材３の下端３Ａは、前記開口部９に挿入されることで、排出口１２を構成している。更に、前記第一挿入口８から排出口１２までの経路は、前記文書細断機の使用状態において、上下方向に延びて形成されている。なお、前記ガイド部材３には、前記回転刃６を前記孔１１内に露出させるためのスリット状の刃窓１３が形成されている。
【００１８】
前記外殻体２内には、図示しないスイッチが設けられており、このスイッチが前記操作部５によって操作可能とされている。また、前記外殻体２内には、図示しない電動機及び減速機構から成る図示しない駆動機構が設けられており、この駆動機構の減速機構に、六角柱状に形成されたシャフト１４，１５が平行に取り付けられている。なお、これらのシャフト１４，１５は、前記第一挿入口８と平行に設けられている。更に、これらのシャフト１４，１５には、円盤状の回転刃体１６が多数取り付けられている。そして、このように前記各シャフト１４，１５に前記回転刃体１６等を取り付けることで、前記回転刃６が構成されている。なお、前記回転刃体１６は金属製であり、その外周縁には周方向に細かい凹凸が形成されている。
【００１９】
前記外殻体２を構成する前記上外殻体２Ａに形成された前記第一凹部７には、アタッチメントとしての棒状体１７が設置される。なお、本実施形態の場合、前記棒状体１７全体が阻止手段を構成している。また、前記棒状体１７は、全体として、前記第一挿入口８の短方向の寸法よりも太い直径の円筒状、即ち回転体に形成されている。更に、前記棒状体１７は、その円筒面（即ち突曲面）が前記第一凹部７の一方の斜面に線接触すると共に、前記第一凹部７の他方の斜面と前記第一挿入口８の内壁との境界近傍に線接触する。従って、前記棒状体１７は、前記第一凹部７内で前記第一挿入口８を上方から閉塞すると共に、軸回りに回転可能に設置されている。なお、前記棒状体１７は、合成樹脂等で形成されていることで、比較的軽量に構成されている。
【００２０】
次に、本実施形態の作用について説明する。まず、文書細断機を通常通り使用する場合について説明する。使用者が指の太い大人であり、指の細い子供が使用する虞のない場合、前記第一挿入口８に使用者の指が入る虞がないので、前記棒状体１７を前記第一凹部７に設置しなくても安全性を確保できる。そして、このように前記第一凹部７に前記棒状体１７を設置していない状態では、前記第一挿入口８が露出していることから、前記第一凹部７によって紙類Ｐを前記第一挿入口８に導きやすいことと相まって、前記第一挿入口８に紙類Ｐが挿入しやすい。
【００２１】
次に、前記細断機本体１の第一凹部７に前記棒状体１７を設置して使用する場合について説明する。指の細い子供が使用する虞がある場合、前記第一挿入口８に使用者の指が入る虞があるので、前記棒状体１７を前記第一凹部７に設置する。そして、このように前記第一凹部７に前記棒状体１７を設置した状態では、この棒状体１７によって前記第一挿入口８が上方から閉塞されることで、前記棒状体１７を前記第一凹部７に設置していない状態に比べて前記第一挿入口８に紙類Ｐを挿入しにくいものの、前記第一挿入口８が露出していないことで、たとえ幼い子供の細い指であったとしても、前記第一挿入口８に挿入できてしまうことがないので、前記棒状体１７を使用しない場合よりも安全性を高めることができる。なお、前記棒状体１７を前記第一凹部７に設置した状態では、前記棒状体１７は前記第一凹部７の最も狭くなった底部近傍に位置することになるので、使用者が前記棒状体１７を摘もうとしても摘みにくい。このため、前記棒状体１７は前記第一凹部７から外しにくい。また、前記第一凹部７と棒状体１７との間から指を差し込もうとしても、指が前記棒状体１７に触れて下方に押されると、図３に示すように、指が差し込まれようとしている側の前記第一凹部７の斜面に前記棒状体１７を押し付けるように、この棒状体１７が転がることになるので、使用者の指がより前記第一挿入口８に入りにくいようにすることができる。
【００２２】
一方、このように前記第一凹部７に前記棒状体１７を設置した状態で前記紙類Ｐを細断する場合、前記紙類Ｐを前記第一凹部７の斜面と前記棒状体１７の間に差し込む。この際、前記紙類Ｐは、前記第一凹部７の斜面と前記棒状体１７の円筒面に案内されて、前記第一凹部７の斜面と前記棒状体１７の間に差し込まれることになる。なお、前記第一凹部７の斜面と前記棒状体１７の円筒面が線接触していると共に、前記棒状体１７が上方から押されておらず、前記棒状体１７を前記斜面に押し付ける力は、軽量な前記棒状体１７の自重による力だけであるので、前記紙類Ｐは容易に前記第一凹部７の斜面と前記棒状体１７の間に差し込まれることになる。このように、前記紙類Ｐを前記第一凹部７の斜面と前記棒状体１７の間に差し込むと、図３に示すように、前記紙類Ｐの動きに連れ回りして前記棒状体１７が転がるので、前記紙類Ｐを通す際の抵抗が小さくなる。なお、この場合、前記棒状体１７を前記紙類Ｐ側に押し付ける力は、軽量な前記棒状体１７の自重による力だけであり、前記棒状体１７が強く前記紙類Ｐに押し付けられることがないので、前記紙類Ｐを容易に前記第一挿入口８に送ることができる。
【００２３】
以上のように本発明は、内部に回転刃６が設けられた細断機本体１の外殻体２に、底部にスリット状の第一挿入口８が形成された第一凹部７を設け、この第一凹部７に設置されると共に前記第一挿入口８の短方向の寸法よりも太い、アタッチメントを構成する阻止手段としての円筒状の棒状体１７を設け、この棒状体１７が前記第一凹部７に設置された状態で前記第一挿入口８が前記棒状体１７によって閉塞されるので、幼い子供の細い指等であっても、前記第一挿入口８から挿入することができず、安全性を高めることができると共に、被細断物としての紙類Ｐを挿入する場合は、前記棒状体１７の円筒面と前記第一凹部７の斜面とで案内されるので、前記棒状体１７によって前記第一挿入口８が閉塞された状態であっても、前記紙類Ｐを細断することができるものである。
【００２４】
また、前記棒状体１７が回転体である円筒状に形成されていることで、前記第一凹部７と前記棒状体１７との間に前記紙類Ｐを通す際に、前記棒状体１７が前記紙類Ｐに接することで前記紙類Ｐの動きに連れ回りするので、前記第一凹部７と前記棒状体１７との間に前記紙類Ｐを通す際の抵抗が小さくなり、前記棒状体１７によって前記第一挿入口８が閉塞された状態であっても、前記紙類Ｐを前記第一挿入口８へ容易に挿入することができるものである。
【００２５】
次に、本発明の第二の実施形態について、図４及び図５に基づいて説明する。なお、上記実施形態と共通する部分については共通の符号を付し、その説明を省略する。また、上記第一の実施形態と同様に、図５において、右側が前、左側が後である。本実施形態の細断機本体１は、上記第一の実施形態のそれと共通する。そして、外殻体２を構成する上外殻体２Ａに形成された第一凹部７の底部に設けられた第一挿入口８には、アタッチメント２０が取り付けられる。このアタッチメント２０は、阻止手段としての棒状体２１と、この棒状体２１の両端に取り付けられて前記棒状体２１をその軸回りに回動可能に且つ上下方向に移動可能に保持する保持手段２２とを有して構成されている。なお、前記棒状体２１は、全体として、前記第一挿入口８の短方向の寸法よりも太い直径の円筒状、即ち回転体に形成されている。また、前記棒状体２１は、その円筒面（即ち突曲面）が前記第一凹部７の一方の斜面に線接触すると共に、前記第一凹部７の他方の斜面と前記第一挿入口８の内壁との境界近傍に線接触する。また、前記保持手段２２は、棒状体保持部２３において前記棒状体２１を上下方向に移動可能に保持しているが、この棒状体２１の移動可能な距離が前記第一挿入口８の短方向の寸法よりも短くなるように、前記棒状体保持部２３が形成されている。更に、前記保持手段２２は、弾性変形可能な圧入部２４が前記第一挿入口８の長さ方向の両端近傍に差し込まれることで、前記細断機本体１の第一凹部７に取り付けられる。従って、前記アタッチメント２０を前記第一挿入口８に取り付けることで、前記アタッチメント２０を構成する棒状体２１は、前記第一凹部７内で前記第一挿入口８を上方から閉塞すると共に、軸回りに回転可能となる。なお、前記棒状体２１は、合成樹脂等で形成されていることで、比較的軽量に構成されている。
【００２６】
次に、本実施形態の作用について説明する。まず、文書細断機を通常通り使用する場合について説明する。使用者が指の太い大人であり、指の細い子供が使用する虞のない場合、前記第一挿入口８に使用者の指が入る虞がないので、前記アタッチメント２０を前記第一凹部７に設置しなくても安全性を確保できる。そして、このように前記第一凹部７に前記アタッチメント２０を設置していない状態では、前記第一挿入口８が露出していることから、前記第一凹部７によって紙類Ｐを前記第一挿入口８に導きやすいことと相まって、前記第一挿入口８に紙類Ｐが挿入しやすい。
【００２７】
次に、前記細断機本体１の第一凹部７に前記アタッチメント２０を取り付けて使用する場合について説明する。指の細い子供が使用する虞がある場合、前記第一挿入口８に使用者の指が入る虞があるので、前記保持手段２２の圧入部２４を前記第一挿入口８に差し込むことで、前記アタッチメント２０を前記第一凹部７に取り付ける。そして、このように前記第一凹部７に前記アタッチメント２０を取り付けた状態では、このアタッチメント２０を構成する棒状体２１によって前記第一挿入口８が上方から閉塞されることで、前記アタッチメント２０を前記第一凹部７に設置していない状態に比べて前記第一挿入口８に紙類Ｐを挿入しにくいものの、前記第一挿入口８が露出していないことで、たとえ幼い子供の細い指であったとしても、前記第一挿入口８に挿入できてしまうことがないので、前記アタッチメント２０を取り付けない場合よりも安全性を高めることができる。なお、前記アタッチメント２０を前記第一凹部７に取り付けた状態では、前記アタッチメント２０の棒状体２１は前記第一凹部７の最も狭くなった底部近傍に位置することになるので、使用者が前記棒状体２１を摘もうとしても摘みにくい。このため、前記棒状体２１、ひいては前記アタッチメント２０は前記第一凹部７から外しにくい。また、前記第一凹部７と棒状体２１との間から指を差し込もうとしても、前記棒状体２１は前記棒状体保持部２３に案内されて上方に少し持ち上がる可能性があるものの、指を挿入できるほどには持ち上がらず、また、水平方向への移動が前記保持部材２２によって妨げられることで挿入経路が直線状にならないため、使用者の指がより前記第一挿入口８に入りにくいようにすることができる。
【００２８】
一方、このように前記第一凹部７に前記アタッチメント２０を設置した状態で前記紙類Ｐを細断する場合、前記紙類Ｐを前記第一凹部７の斜面と前記アタッチメント２０の棒状体２１の間に差し込む。この際、前記紙類Ｐは、前記第一凹部７の斜面と前記棒状体２１の円筒面に案内されて、前記第一凹部７の斜面と前記棒状体２１の間に差し込まれることになる。なお、前記第一凹部７の斜面と前記棒状体２１の円筒面が線接触していると共に、前記棒状体２１が上方から押されておらず、前記棒状体２１を前記斜面に押し付ける力は、軽量な前記棒状体２１の自重による力だけであるので、前記紙類Ｐは容易に前記第一凹部７の斜面と前記棒状体２１の間に差し込まれることになる。このように、前記紙類Ｐを前記第一凹部７の斜面と前記棒状体２１の間に差し込むと、前記紙類Ｐの動きに連れ回りして前記棒状体２１が転がるので、前記紙類Ｐを通す際の抵抗が小さくなる。なお、この場合、前記棒状体２１を前記紙類Ｐ側に押し付ける力は、軽量な前記棒状体２１の自重による力だけであり、前記棒状体２１が強く前記紙類Ｐに押し付けられることがないので、前記紙類Ｐを容易に前記第一挿入口８に送ることができる。
【００２９】
以上のように本発明は、内部に回転刃６が設けられた細断機本体１の外殻体２に、底部にスリット状の第一挿入口８が形成された第一凹部７を設け、この第一凹部７に、前記第一挿入口８の短方向の寸法よりも太い円筒状の阻止手段としての棒状体２１を有するアタッチメント２０を設け、このアタッチメント２０が前記第一凹部７に設置された状態で前記第一挿入口８が前記棒状体２１によって閉塞されるので、幼い子供の細い指等であっても、前記第一挿入口８から挿入することができず、安全性を高めることができると共に、被細断物としての紙類Ｐを挿入する場合は、前記棒状体２１の円筒面と前記第一凹部７の斜面とで案内されるので、前記棒状体２１によって前記第一挿入口８が閉塞された状態であっても、前記紙類Ｐを細断することができるものである。
【００３０】
また、前記棒状体２１が回転体である円筒状に形成されていることで、前記第一凹部７と前記棒状体２１との間に前記紙類Ｐを通す際に、前記棒状体２１が前記紙類Ｐに接することで前記紙類Ｐの動きに連れ回りするので、前記第一凹部７と前記棒状体２１との間に前記紙類Ｐを通す際の抵抗が小さくなり、前記棒状体２１によって前記第一挿入口８が閉塞された状態であっても、前記紙類Ｐを前記第一挿入口８へ容易に挿入することができるものである。
【００３１】
次に、本発明の第三の実施形態について、図６及び図７に基づいて説明する。なお、上記実施形態と共通する部分については共通の符号を付し、その説明を省略する。また、上記各実施形態と同様に、図７において、右側が前、左側が後である。本実施形態の細断機本体１は、上記第一及び第二の実施形態のそれと共通する。そして、外殻体２を構成する上外殻体２Ａに形成された凹部７には、アタッチメント３０が取り付けられる。このアタッチメント３０は、前記第一凹部７に挿入可能な形状の枠体３１と阻止手段としての棒状体３２とを有して構成されている。なお、前記枠体３１の上面は、前記アタッチメント３０を前記第一凹部７に設置した状態で、前記細断機本体１の外殻体２の上面よりも奥まった位置関係となるように構成されている。そして、前記枠体３１は、第二凹部３３と、前記第一挿入口８に対応して前記第二凹部３３の底部に形成された第二挿入口３４とを有して構成されている。また、前記棒状体３２は、全体として、前記第二挿入口３４の短方向の寸法よりも太い直径の円筒状、即ち回転体に形成されている。また、前記棒状体３２は、その円筒面（即ち突曲面）が前記第二凹部３３の前後の斜面に線接触する。また、前記第二凹部３３における前記第二挿入口３４の長さ方向の両端側に形成された壁面部には、前記棒状体３２を上下に移動可能で且つ回動可能な状態で、この棒状体３２の両端を保持する保持凹部３５が形成されている。なお、前記枠体３１は、前記保持凹部３５において前記棒状体３２を上下方向に移動可能に保持しているが、この棒状体３２の移動可能な距離が前記第二挿入口３４の短方向の寸法よりも短くなるように、前記保持凹部３５が形成されている。また、前記保持凹部３５の短方向の寸法は、前記棒状体３２の直径よりも僅かに大きく形成されている。従って、前記アタッチメント３０を前記第一凹部７に設置することで、前記アタッチメント３０を構成する棒状体３２は、前記第二凹部３３内で前記第一挿入口８と連通する前記第二挿入口３４を上方から閉塞すると共に、軸回りに回転可能となる。なお、前記棒状体３２は、合成樹脂等で形成されていることで、比較的軽量に構成されている。
【００３２】
次に、本実施形態の作用について説明する。まず、文書細断機を通常通り使用する場合について説明する。使用者が指の太い大人であり、指の細い子供が使用する虞のない場合、前記第一挿入口８に使用者の指が入る虞がないので、前記アタッチメント３０を前記第一凹部７に設置しなくても安全性を確保できる。そして、このように前記第一凹部７に前記アタッチメント３０を設置していない状態では、前記第一挿入口８が露出していることから、前記第一凹部７によって紙類Ｐを前記第一挿入口８に導きやすいことと相まって、前記第一挿入口８に紙類Ｐが挿入しやすい。
【００３３】
次に、前記細断機本体１の第一凹部７に前記アタッチメント３０を取り付けて使用する場合について説明する。指の細い子供が使用する虞がある場合、前記第一挿入口８に使用者の指が入る虞があるので、前記第一凹部７に前記枠体３１を挿入することで、前記アタッチメント３０を前記第一凹部７に設置する。そして、このように前記第一凹部７に前記アタッチメント３０を設置した状態では、このアタッチメント３０によって前記第一挿入口８が上方から覆われると共に、前記アタッチメント３０を構成する枠体３１の第二凹部３３に設けられた前記第二開口部３４も、前記棒状体３２によって上方から閉塞されることで、前記アタッチメント３０を前記第一凹部７に設置していない状態に比べて前記第一挿入口８に紙類Ｐを挿入しにくいものの、前記第一挿入口８が露出していないことで、たとえ幼い子供の細い指であったとしても、前記第一挿入口８に挿入できてしまうことがないので、前記アタッチメント３０を取り付けない場合よりも安全性を高めることができる。なお、前記アタッチメント３０において、前記棒状体３２は前記第二凹部３３の最も狭くなった底部近傍に位置することになるので、使用者が前記棒状体３２を摘もうとしても摘みにくいので、この棒状体３２を摘んで前記アタッチメント３０を持ち上げ、このアタッチメント３０を前記第一凹部７から取り外すということが行いにくい。また、前記アタッチメント３０を前記第一凹部７に取り付けた状態では、前記アタッチメント３０の枠体３１の上面が前記細断機本体１の外殻体２の上面よりも低くなっているので、前記アタッチメント３０の枠体３１の縁に爪をかける等して前記アタッチメント３０を前記第一凹部７から取り外すということも行いにくい。従って、前記アタッチメント３０は前記第一凹部７から外しにくい。また、前記第二凹部３３と棒状体３２との間から指を差し込もうとしても、前記棒状体３２は前記保持凹部３５に案内されて上方に少し持ち上がる可能性があるものの、指を挿入できるほどには持ち上がらず、また、水平方向への移動が前記保持凹部３５によって妨げられることで挿入経路が直線状にならないため、使用者の指がより前記第一挿入口８に入りにくいようにすることができる。
【００３４】
一方、このように前記第一凹部７に前記アタッチメント３０を設置した状態で前記紙類Ｐを細断する場合、前記紙類Ｐを前記アタッチメント３０の第二凹部３３の斜面と棒状体３２の間に差し込む。この際、前記紙類Ｐは、前記第二凹部３３の斜面と前記棒状体３２の円筒面に案内されて、前記第二凹部３３の斜面と前記棒状体３２の間に差し込まれることになる。なお、前記第二凹部３３の斜面と前記棒状体３２の円筒面が線接触していると共に、前記棒状体３２が上方から押されておらず、前記棒状体３２を前記斜面に押し付ける力は、軽量な前記棒状体３２の自重による力だけであるので、前記紙類Ｐは容易に前記第二凹部３３の斜面と前記棒状体３２の間に差し込まれることになる。このように、前記紙類Ｐを前記第二凹部３３の斜面と前記棒状体３２の間に差し込むと、前記紙類Ｐの動きに連れ回りして前記棒状体３２が転がるので、前記紙類Ｐを通す際の抵抗が小さくなる。なお、この場合、前記棒状体３２を前記紙類Ｐ側に押し付ける力は、軽量な前記棒状体３２の自重による力だけであり、前記棒状体３２が強く前記紙類Ｐに押し付けられることがないので、前記紙類Ｐを容易に前記第二挿入口３４を介して第一挿入口８に送ることができる。
【００３５】
以上のように本発明は、内部に回転刃６が設けられた細断機本体１の外殻体２に、底部にスリット状の第一挿入口８が形成された第一凹部７を設け、この第一凹部７に挿入可能な形状の枠体３１と、この枠体３１の第二凹部３３の底部に形成された第二挿入口３４の短方向の寸法よりも太い円筒状の阻止手段としての棒状体３２を有するアタッチメント３０を前記第一凹部７に設置し、このアタッチメント３０が前記第一凹部７に設置された状態で、前記第一挿入口８に連通する前記第二挿入口３４が前記棒状体３２によって閉塞されるので、幼い子供の細い指等であっても、前記第二挿入口３４を経て前記第一挿入口８へ挿入することができず、安全性を高めることができると共に、被細断物としての紙類Ｐを挿入する場合は、前記棒状体３２の円筒面と前記第二凹部３３の斜面とで案内されるので、前記棒状体３２によって前記第二挿入口３４が閉塞された状態であっても、前記紙類Ｐを細断することができるものである。
【００３６】
また、前記棒状体３２が回転体である円筒状に形成されていることで、前記第二凹部３３と前記棒状体３２との間に前記紙類Ｐを通す際に、前記棒状体３２が前記紙類Ｐに接することで前記紙類Ｐの動きに連れ回りするので、前記第一凹部３３と前記棒状体３２との間に前記紙類Ｐを通す際の抵抗が小さくなり、前記棒状体３２によって前記第二挿入口３４が閉塞された状態であっても、前記第二挿入口３４を経て前記第一挿入口８へ前記紙類Ｐを容易に挿入することができるものである。
【００３７】
次に、本発明の第四の実施形態について、図８及び図９に基づいて説明する。なお、上記実施形態と共通する部分については共通の符号を付し、その説明を省略する。また、上記各実施形態と同様に、図９において、右側が前、左側が後である。４０は本発明の文書細断機を構成する細断機本体である。この細断機本体４０は、上方が開口した図示しないダストケースの前記開口部に載置されるように構成されている。また、前記細断機本体４０は、外殻体４１と、ガイド部材３と、可動掛部４と、操作部５と、回転刃６とを有して構成されている。そして、前記外殻体４１は、上外殻体４１Ａと下外殻体４１Ｂで構成されている。また、前記外殻体４１を構成する上外殻体４１Ａの上部には、細長い第一凹部４２が形成されていると共に、この第一凹部４２の底部には、被細断物としての紙類を挿入するためのスリット状の第一挿入口４３が形成されている。一方、前記外殻体４１を構成する下外殻体４１Ｂの下部には、前記第一挿入口４３に対応して、細長い開口部４４が形成されている。なお、前記第一凹部４２、第一挿入口４３及び開口部４４は、前記外殻体４１の幅方向とほぼ平行に延びて形成されている。また、前記上筐体４１Ａには、固定掛部４５が一体に形成されていると共に、前記上筐体４１Ａにおける前記固定掛部４５の反対側には、前記可動掛部４が取り付けられている。なお、前記可動掛部４は、前記上筐体４１Ａの幅方向にスライド可能に取り付けられていることによって、前記固定掛部４５との距離が調節可能に構成されている。また、前記ガイド部材３は、前記上外殻体４１Ａと下外殻体４１Ｂの間に挟持され、前記第一挿入口４３と開口部４４とを繋いで紙類を送る経路を構成するものであり、前記第一挿入口４３の短方向の寸法（即ち隙間）とほぼ同じ幅のスリット状の孔１１が形成されている。そして、前記ガイド部材３の下端３Ａは、前記開口部４４に挿入されることで、排出口１２を構成している。更に、前記第一挿入口４３から排出口１２までの経路は、前記文書細断機の使用状態において、上下方向に延びて形成されている。なお、前記ガイド部材３には、前記回転刃６を前記孔１１内に露出させるためのスリット状の刃窓１３が形成されている。
【００３８】
前記外殻体４１内には、図示しないスイッチが設けられており、このスイッチが前記操作部５によって操作可能とされている。また、前記外殻体４１内には、図示しない電動機及び減速機構から成る図示しない駆動機構が設けられており、この駆動機構の減速機構に、六角柱状に形成されたシャフト１４，１５が平行に取り付けられている。なお、これらのシャフト１４，１５は、前記第一挿入口４３と平行に設けられている。更に、これらのシャフト１４，１５には、円盤状の回転刃体１６が多数取り付けられている。そして、このように前記各シャフト１４，１５に前記回転刃体１６等を取り付けることで、前記回転刃６が構成されている。なお、前記回転刃体１６は金属製であり、その外周縁には周方向に細かい凹凸が形成されている。
【００３９】
前記外殻体４１を構成する前記上外殻体４１Ａに形成された前記第一凹部４２の長さ方向両端には、上下方向に延びた溝部４６が形成されており、この溝部４６にアタッチメントとしての棒状体４７が設置される。なお、本実施形態の場合、前記棒状体４７全体が阻止手段を構成している。また、前記棒状体４７は、全体として、前記第一挿入口４３の短方向の寸法よりも太く且つ前記溝部４６の幅よりも僅かに細い直径の円筒状、即ち回転体に形成されている。また、前記棒状体４７は、その円筒面（即ち突曲面）が前記第一凹部４２の一方の斜面に線接触すると共に、前記第一凹部４２の他方の斜面と前記第一挿入口４３の内壁との境界近傍に線接触する。従って、前記棒状体４７は、前記第一凹部４２内で前記第一挿入口４３を上方から閉塞すると共に、軸回りに回転可能に設置されている。なお、前記棒状体１７は、合成樹脂等で形成されていることで、比較的軽量に構成されている。更に、前記溝部４６には、この溝部４６から前記棒状体４７が外れにくいようにするためのストッパー４８が嵌め込まれている。なお、前記棒状体４７が前記第一挿入口４３を閉塞している状態において、前記ストッパー４８の下端４８Ａと前記棒状体４７との間には隙間が形成されており、この隙間の分だけ、前記棒状体４７が前記溝部４６に沿って上方に移動可能に構成されている。
【００４０】
次に、本実施形態の作用について説明する。まず、文書細断機を通常通り使用する場合について説明する。使用者が指の太い大人であり、指の細い子供が使用する虞のない場合、前記第一挿入口４３に使用者の指が入る虞がないので、前記棒状体４７を前記第一凹部４２に取り付けなくても安全性を確保できる。そして、このように前記第一凹部４２に前記棒状体４７を取り付けていない状態では、前記第一挿入口４３が露出していることから、前記第一凹部４２によって紙類Ｐを前記第一挿入口４３に導きやすいことと相まって、前記第一挿入口４３に紙類Ｐが挿入しやすい。
【００４１】
次に、前記細断機本体４０の第一凹部４２に前記棒状体４７を取り付けて使用する場合について説明する。指の細い子供が使用する虞がある場合、前記第一挿入口４３に使用者の指が入る虞があるので、前記棒状体４７を前記第一凹部４２に取り付ける。この際、前記棒状体４７は、その両端が前記溝部４６に入るように設置した後、前記ストッパー４８を前記溝部４６に嵌め込むことで、前記第一凹部４２に取り付けられる。そして、このように前記第一凹部４２に前記棒状体４７を取り付けた状態では、この棒状体４７によって前記第一挿入口４３が上方から閉塞されることで、前記棒状体４７を前記第一凹部４２に取り付けていない状態に比べて前記第一挿入口４３に紙類Ｐを挿入しにくいものの、前記第一挿入口４３が露出していないことで、たとえ幼い子供の細い指であったとしても、前記第一挿入口４３に挿入できてしまうことがないので、前記棒状体４７を使用しない場合よりも安全性を高めることができる。なお、前記棒状体４７を前記第一凹部４２に取り付けた状態では、前記棒状体４７は前記第一凹部４２の最も狭くなった底部近傍に位置することで、使用者が前記棒状体４７を摘もうとしても摘みにくいばかりでなく、前記棒状体４７の両端が前記ストッパー４８によって抜け止めされているので、前記棒状体４７は前記第一凹部４２から外しにくい。また、前記第一凹部４２と棒状体４７との間から指を差し込もうとしても、前記棒状体４７は前記溝部４６に案内されて上方に少し持ち上がる可能性があるものの、指を挿入できるほどには持ち上がらず、また、水平方向への移動が前記溝部４６によって妨げられることで挿入経路が直線状にならないため、使用者の指がより前記第一挿入口４３に入りにくいようにすることができる。
【００４２】
一方、このように前記第一凹部４２に前記棒状体４７を取り付けた状態で前記紙類Ｐを細断する場合、前記紙類Ｐを前記第一凹部４２の斜面と前記棒状体４７の間に差し込む。この際、前記紙類Ｐは、前記第一凹部４２の斜面と前記棒状体４７の円筒面に案内されて、前記第一凹部４２の斜面と前記棒状体４７の間に差し込まれることになる。なお、前記第一凹部４２の斜面と前記棒状体４７の円筒面が線接触していると共に、前記棒状体４７が上方から押されておらず、前記棒状体４７を前記斜面に押し付ける力は、軽量な前記棒状体４７の自重による力だけであるので、前記紙類Ｐは容易に前記第一凹部４２の斜面と前記棒状体４７の間に差し込まれることになる。このように、前記紙類Ｐを前記第一凹部４２の斜面と前記棒状体４７の間に差し込むと、前記紙類Ｐの動きに連れ回りして前記棒状体４７が転がるので、前記紙類Ｐを通す際の抵抗が小さくなる。なお、この場合、前記棒状体４７を前記紙類Ｐ側に押し付ける力は、軽量な前記棒状体４７の自重による力だけであり、前記棒状体４７が強く前記紙類Ｐに押し付けられることがないので、前記紙類Ｐを容易に前記第一挿入口４３に送ることができる。
【００４３】
以上のように本発明は、内部に回転刃６が設けられた細断機本体４０の外殻体４１に、底部にスリット状の第一挿入口４３が形成された第一凹部４２を設け、この第一凹部４２に設置されると共に前記第一挿入口４３の短方向の寸法よりも太い、アタッチメントを構成する阻止手段としての円筒状の棒状体４７を設け、この棒状体４７が前記第一凹部４２に取り付けられた状態で前記第一挿入口４３が前記棒状体４７によって閉塞されるので、幼い子供の細い指等であっても、前記第一挿入口４３から挿入することができず、安全性を高めることができると共に、被細断物としての紙類Ｐを挿入する場合は、前記棒状体４７の円筒面と前記第一凹部４２の斜面とで案内されるので、前記棒状体４７によって前記第一挿入口４３が閉塞された状態であっても、前記紙類Ｐを細断することができるものである。
【００４４】
また、前記棒状体４７が回転体である円筒状に形成されていることで、前記第一凹部４２と前記棒状体４７との間に前記紙類Ｐを通す際に、前記棒状体４７が前記紙類Ｐに接することで前記紙類Ｐの動きに連れ回りするので、前記第一凹部４２と前記棒状体４７との間に前記紙類Ｐを通す際の抵抗が小さくなり、前記棒状体４７によって前記第一挿入口４３が閉塞された状態であっても、前記紙類Ｐを前記第一挿入口４３へ容易に挿入することができるものである。
【００４５】
次に、本発明の第五の実施形態について、図１０及び図１１に基づいて説明する。なお、上記実施形態と共通する部分については共通の符号を付し、その説明を省略する。また、上記各実施形態と同様に、図１１において、右側が前、左側が後である。５０は本発明の文書細断機を構成する細断機本体である。この細断機本体５０は、上方が開口した図示しないダストケースの前記開口部に載置されるように構成されている。また、前記細断機本体５０は、外殻体５１と、ガイド部材３と、可動掛部４と、操作部５と、回転刃６とを有して構成されている。そして、前記外殻体５１は、上外殻体５１Ａと下外殻体５１Ｂで構成されている。また、前記外殻体５１を構成する上外殻体５１Ａの上部には、細長い第一凹部５２が形成されていると共に、この第一凹部５２の底部には、被細断物としての紙類を挿入するためのスリット状の第一挿入口５３が形成されている。一方、前記外殻体５１を構成する下外殻体５１Ｂの下部には、前記第一挿入口５３に対応して、細長い開口部５４が形成されている。なお、前記第一凹部５２、第一挿入口５３及び開口部５４は、前記外殻体５１の幅方向とほぼ平行に延びて形成されている。また、前記上筐体５１Ａには、固定掛部５５が一体に形成されていると共に、前記上筐体５１Ａにおける前記固定掛部５５の反対側には、前記可動掛部４が取り付けられている。なお、前記可動掛部４は、前記上筐体５１Ａの幅方向にスライド可能に取り付けられていることによって、前記固定掛部５５との距離が調節可能に構成されている。また、前記ガイド部材３は、前記上外殻体５１Ａと下外殻体５１Ｂの間に挟持され、前記第一挿入口５３と開口部５４とを繋いで紙類を送る経路を構成するものであり、前記第一挿入口５３の短方向の寸法（即ち隙間）とほぼ同じ幅のスリット状の孔１１が形成されている。そして、前記ガイド部材３の下端３Ａは、前記開口部５４に挿入されることで、排出口１２を構成している。更に、前記第一挿入口５３から排出口１２までの経路は、前記文書細断機の使用状態において、上下方向に延びて形成されている。なお、前記ガイド部材３には、前記回転刃６を前記孔１１内に露出させるためのスリット状の刃窓１３が形成されている。
【００４６】
前記外殻体５１内には、図示しないスイッチが設けられており、このスイッチが前記操作部５によって操作可能とされている。また、前記外殻体５１内には、図示しない電動機及び減速機構から成る図示しない駆動機構が設けられており、この駆動機構の減速機構に、六角柱状に形成されたシャフト１４，１５が平行に取り付けられている。なお、これらのシャフト１４，１５は、前記第一挿入口５３と平行に設けられている。更に、これらのシャフト１４，１５には、円盤状の回転刃体１６が多数取り付けられている。そして、このように前記各シャフト１４，１５に前記回転刃体１６等を取り付けることで、前記回転刃６が構成されている。なお、前記回転刃体１６は金属製であり、その外周縁には周方向に細かい凹凸が形成されている。
【００４７】
前記外殻体５１を構成する前記上外殻体５１Ａに形成された前記第一凹部５２の長さ方向両端には、上下方向に延びた溝部５６が形成されており、この溝部５６にアタッチメントとしての棒状体５７が設置される。なお、本実施形態の場合、前記棒状体５７全体が阻止手段を構成している。また、前記棒状体５７は、全体として、前記第一挿入口５３の短方向の寸法よりも太く且つ前記溝部５６の幅よりも僅かに細い直径の円筒状、即ち回転体に形成されている。また、前記棒状体５７は、最も前記第一挿入口５３に接近した状態において、その円筒面（即ち突曲面）が前記第一凹部５２の斜面との間に微小な隙間を有している。従って、前記棒状体５７は、前記第一挿入口５３を完全に閉塞していないものの、前記第一凹部５２内で前記第一挿入口５３を上方から覆っていると共に、軸回りに回転可能に設置されている。なお、前記棒状体５７は、合成樹脂等で形成されていることで、比較的軽量に構成されている。更に、前記溝部５６には、この溝部５６から前記棒状体５７が外れにくいようにするためのストッパー５８が嵌め込まれている。なお、前記棒状体５７が前記第一挿入口５３を上方から覆っている状態において、前記ストッパー５８の下端５８Ａと前記棒状体５７との間には隙間が形成されており、この隙間の分だけ、前記棒状体５７が前記溝部５６に沿って上方に移動可能に構成されている。
【００４８】
次に、本実施形態の作用について説明する。まず、文書細断機を通常通り使用する場合について説明する。使用者が指の太い大人であり、指の細い子供が使用する虞のない場合、前記第一挿入口５３に使用者の指が入る虞がないので、前記棒状体５７を前記第一凹部５２に取り付けなくても安全性を確保できる。そして、このように前記第一凹部５２に前記棒状体５７を取り付けていない状態では、前記第一挿入口５３が露出していることから、前記第一凹部５２によって紙類Ｐを前記第一挿入口５３に導きやすいことと相まって、前記第一挿入口５３に紙類Ｐが挿入しやすい。
【００４９】
次に、前記細断機本体５０の第一凹部５２に前記棒状体５７を取り付けて使用する場合について説明する。指の細い子供が使用する虞がある場合、前記第一挿入口５３に使用者の指が入る虞があるので、前記棒状体５７を前記第一凹部５２に取り付ける。この際、前記棒状体５７は、その両端が前記溝部５６に入るように設置した後、前記ストッパー５８を前記溝部５６に嵌め込むことで、前記第一凹部５２に取り付けられる。そして、このように前記第一凹部５２に前記棒状体５７を取り付けた状態では、この棒状体５７によって前記第一挿入口５３が上方から覆われていることで、前記棒状体５７を前記第一凹部５２に取り付けていない状態に比べて前記第一挿入口５３に紙類Ｐを挿入しにくいものの、前記第一挿入口５３が殆ど露出していないことで、たとえ幼い子供の細い指であったとしても、前記第一挿入口５３に挿入できてしまうことがないので、前記棒状体５７を使用しない場合よりも安全性を高めることができる。なお、前記棒状体５７を前記第一凹部５２に取り付けた状態では、前記棒状体５７は前記第一凹部５２の最も狭くなった底部近傍に位置することで、使用者が前記棒状体５７を摘もうとしても摘みにくいばかりでなく、前記棒状体５７の両端が前記ストッパー５８によって抜け止めされているので、前記棒状体５７は前記第一凹部５２から外しにくい。また、前記第一凹部５２と棒状体５７との間から指を差し込もうとしても、前記棒状体５７は前記溝部５６に案内されて上方に少し持ち上がる可能性があるものの、指を挿入できるほどには持ち上がらず、また、水平方向への移動が前記溝部５６によって妨げられることで挿入経路が直線状にならないため、使用者の指がより前記第一挿入口５３に入りにくいようにすることができる。
【００５０】
一方、このように前記第一凹部５２に前記棒状体５７を取り付けた状態で前記紙類Ｐを細断する場合、前記紙類Ｐを前記第一凹部５２の斜面と前記棒状体５７の間に差し込む。この際、前記紙類Ｐは、前記第一凹部５２の斜面と前記棒状体５７の円筒面に案内されて、前記第一凹部５２の斜面と前記棒状体５７の間に差し込まれることになる。なお、前記第一凹部５２の斜面と前記棒状体５７の円筒面との間に僅かな隙間が形成されていることで、挿入される前記紙類Ｐの枚数が少ない場合は前記棒状体５７が前記紙類Ｐに押し付けられないので、前記紙類Ｐは容易に前記第一凹部５２の斜面と前記棒状体５７の間に差し込まれることになる。一方、前記第一凹部５２の斜面と前記棒状体５７の円筒面との間に挿入される前記紙類Ｐの枚数が多い場合は、前記棒状体５７が前記紙類Ｐに押し付けられる場合があるものの、前記棒状体５７が上方から押されておらず、前記棒状体５７を前記紙類Ｐに押し付ける力は、軽量な前記棒状体５７の自重による力だけであるので、前記紙類Ｐは容易に前記第一凹部５２の斜面と前記棒状体５７の間に差し込まれることになる。このように、前記紙類Ｐを前記第一凹部５２の斜面と前記棒状体５７の間に差し込むと、前記紙類Ｐの動きに連れ回りして前記棒状体５７が転がるので、前記紙類Ｐを通す際の抵抗が小さくなる。なお、この場合も、前記棒状体５７を前記紙類Ｐ側に押し付ける力は、軽量な前記棒状体５７の自重による力だけであり、前記棒状体５７が強く前記紙類Ｐに押し付けられることがないので、前記紙類Ｐを容易に前記第一挿入口５３に送ることができる。
【００５１】
以上のように本発明は、内部に回転刃６が設けられた細断機本体５０の外殻体５１に、底部にスリット状の第一挿入口５３が形成された第一凹部５２を設け、この第一凹部５２に設置されると共に前記第一挿入口５３の短方向の寸法よりも太い、アタッチメントを構成する阻止手段としての円筒状の棒状体５７を設け、この棒状体５７が前記第一凹部５２に取り付けられた状態で前記第一挿入口５３が前記棒状体５７によって覆われるので、幼い子供の細い指等であっても、前記第一挿入口５３から挿入することができず、安全性を高めることができると共に、被細断物としての紙類Ｐを挿入する場合は、前記棒状体５７の円筒面と前記第一凹部５２の斜面とで案内されるので、前記棒状体５７によって前記第一挿入口５３が覆われた状態であっても、前記紙類Ｐを細断することができるものである。
【００５２】
また、前記棒状体５７が回転体である円筒状に形成されていることで、前記第一凹部５２と前記棒状体５７との間に前記紙類Ｐを通す際に、前記棒状体５７が前記紙類Ｐに接すると、前記紙類Ｐの動きに連れ回りするので、前記第一凹部５２と前記棒状体５７との間に前記紙類Ｐを通す際の抵抗が小さくなり、前記棒状体５７によって前記第一挿入口５３が覆われた状態であっても、前記紙類Ｐを前記第一挿入口５３へ容易に挿入することができるものである。
【００５３】
次に、本発明の第六の実施形態について、図１２及び図１３に基づいて説明する。なお、上記実施形態と共通する部分については共通の符号を付し、その説明を省略する。また、上記各実施形態と同様に、図１３において、右側が前、左側が後である。６０は本発明の文書細断機を構成する細断機本体である。この細断機本体６０は、上方が開口した図示しないダストケースの前記開口部に載置されるように構成されている。また、前記細断機本体６０は、外殻体６１と、ガイド部材３と、可動掛部４と、操作部５と、回転刃６とを有して構成されている。そして、前記外殻体６１は、上外殻体６１Ａと下外殻体６１Ｂで構成されている。また、前記外殻体６１を構成する上外殻体６１Ａの上部には、細長い第一凹部６２が形成されていると共に、この第一凹部６２の底部には、被細断物としての紙類を挿入するためのスリット状の第一挿入口６３が形成されている。一方、前記外殻体６１を構成する下外殻体６１Ｂの下部には、前記第一挿入口６３に対応して、細長い開口部６４が形成されている。なお、前記第一凹部６２、第一挿入口６３及び開口部６４は、前記外殻体６１の幅方向とほぼ平行に延びて形成されている。また、前記上筐体６１Ａには、固定掛部６５が一体に形成されていると共に、前記上筐体６１Ａにおける前記固定掛部６５の反対側には、前記可動掛部４が取り付けられている。なお、前記可動掛部４は、前記上筐体６１Ａの幅方向にスライド可能に取り付けられていることによって、前記固定掛部６５との距離が調節可能に構成されている。また、前記ガイド部材３は、前記上外殻体６１Ａと下外殻体６１Ｂの間に挟持され、前記第一挿入口６３と開口部６４とを繋いで紙類を送る経路を構成するものであり、前記第一挿入口６３の短方向の寸法（即ち隙間）とほぼ同じ幅のスリット状の孔１１が形成されている。そして、前記ガイド部材３の下端３Ａは、前記開口部６４に挿入されることで、排出口１２を構成している。更に、前記第一挿入口６３から排出口１２までの経路は、前記文書細断機の使用状態において、上下方向に延びて形成されている。なお、前記ガイド部材３には、前記回転刃６を前記孔１１内に露出させるためのスリット状の刃窓１３が形成されている。
【００５４】
前記外殻体６１内には、図示しないスイッチが設けられており、このスイッチが前記操作部５によって操作可能とされている。また、前記外殻体６１内には、図示しない電動機及び減速機構から成る図示しない駆動機構が設けられており、この駆動機構の減速機構に、六角柱状に形成されたシャフト１４，１５が平行に取り付けられている。なお、これらのシャフト１４，１５は、前記第一挿入口６３と平行に設けられている。更に、これらのシャフト１４，１５には、円盤状の回転刃体１６が多数取り付けられている。そして、このように前記各シャフト１４，１５に前記回転刃体１６等を取り付けることで、前記回転刃６が構成されている。なお、前記回転刃体１６は金属製であり、その外周縁には周方向に細かい凹凸が形成されている。
【００５５】
前記外殻体６１を構成する前記上外殻体６１Ａに形成された前記第一凹部６２には、アタッチメント６６が取り付けられる。このアタッチメント６６は、阻止手段としての複数の球状体６７と、これらの球状体６７の上方に取り付けられて前記球状体６７が前記第一凹部６２から脱落するのを防止するストッパー６８とを有して構成されている。そして、前記球状体６７は、前記第一挿入口６３の短方向の寸法よりも太い直径の球状、即ち回転体に形成されている。また、前記球状体６７は、その球面（即ち突曲面）が前記第一凹部６２の一方の斜面に点接触すると共に、前記第一凹部６２の他方の斜面と前記第一挿入口６３の内壁との境界近傍に点接触する。また、前記球状体６７は、前記第一挿入口６３の長さ方向に並んで、前記第一凹部６２の底部に設置されていると共に、前記球状体６７同士は、接触するか、或いは互いの間に僅かな隙間を有している。従って、前記球状体６７は、前記第一凹部６２内で前記第一挿入口６３を上方から覆うと共に、回転可能に設置されている。なお、前記棒状体６７は、合成樹脂等で形成されていることで、比較的軽量に構成されている。また、前記第一凹部６２の長さ方向両端には、上下方向に延びた溝部６９が形成されており、この溝部６９に、前記アタッチメント６６を構成する前記ストッパー６８が嵌め込まれている。そして、前記球状体６７が前記第一挿入口６３を覆っている状態において、前記ストッパー６８の下端６８Ａと前記球状体６７との間には隙間が形成されており、この隙間の分だけ、前記球状体６７が上方に移動可能に構成されている。
【００５６】
次に、本実施形態の作用について説明する。まず、文書細断機を通常通り使用する場合について説明する。使用者が指の太い大人であり、指の細い子供が使用する虞のない場合、前記第一挿入口６３に使用者の指が入る虞がないので、前記アタッチメント６６を前記第一凹部６２に取り付けなくても安全性を確保できる。そして、このように前記第一凹部６２に前記アタッチメント６６を取り付けていない状態では、前記第一挿入口６３が露出していることから、前記第一凹部６２によって紙類Ｐを前記第一挿入口６３に導きやすいことと相まって、前記第一挿入口６３に紙類Ｐが挿入しやすい。
【００５７】
次に、前記細断機本体６０の第一凹部６２に前記アタッチメント６６を取り付けて使用する場合について説明する。指の細い子供が使用する虞がある場合、前記第一挿入口６３に使用者の指が入る虞があるので、前記アタッチメント６６を前記第一凹部６２に取り付ける。この際、前記アタッチメント６６は、これを構成する複数の球状体６７を前記第一凹部６２の底部において前記第一挿入口６３の長さ方向に並べて設置した後、前記ストッパー６８を前記溝部６９に嵌め込むことで、前記第一凹部６２に取り付けられる。そして、このように前記第一凹部６２に前記アタッチメント６６を取り付けた状態では、このアタッチメント６６によって前記第一挿入口６３が上方から覆われていることで、前記アタッチメント６６を前記第一凹部６２に取り付けていない状態に比べて前記第一挿入口６３に紙類Ｐを挿入しにくいものの、前記第一挿入口６３が殆ど露出していないことで、たとえ幼い子供の細い指であったとしても、前記第一挿入口６３に挿入できてしまうことがないので、前記アタッチメント６６を使用しない場合よりも安全性を高めることができる。更に、前記球状体６７を前記第一凹部６２に設置した状態では、前記球状体６７は前記第一凹部６２の最も狭くなった底部近傍に位置することで、使用者が前記球状体６７を摘もうとしても摘みにくいばかりでなく、前記球状体６７が前記ストッパー６８によって脱落防止されているので、前記球状体６７は前記第一凹部６２から外しにくい。なお、前記アタッチメント６６を前記第一凹部６２に取り付けた状態では、前記球状体６７同士と前記第一凹部６２の斜面等との間に僅かな隙間が形成されており、また、前記第一凹部６２と球状体６７との間から指を差し込もうとすると、前記球状体６７が上方、又は前記第一凹部６２の斜面に沿って斜め上方に少し持ち上がる可能性があるので、前記隙間が拡がってしまう虞があるものの、前記ストッパー６８によって前記球状体６７の移動が制限されることで、前記隙間は指を挿入できるほどには拡がらず、また、前記ストッパー６８が前記球状体６７の上方を覆っていることで挿入経路が直線状にならないため、使用者の指が前記第一挿入口６３に入りにくいようにすることができる。
【００５８】
一方、このように前記第一凹部６２に前記アタッチメント６６を取り付けた状態で前記紙類Ｐを細断する場合、前記紙類Ｐを前記第一凹部６２の斜面と前記球状体６７の間に差し込む。なお、前記第一凹部６２の斜面と前記球状体６７の球面が点接触していると共に、前記球状体６７が上方から押されておらず、前記球状体６７を前記斜面に押し付ける力は、軽量な前記球状体６７の自重による力だけであるので、前記紙類Ｐは容易に前記第一凹部６２の斜面と前記球状体６７の間に差し込まれることになる。特に、本実施形態においては、前記各実施形態とは異なり、阻止手段としての前記球状体６７が前記第一凹部６２の斜面と点接触していることから、前記各実施形態における棒状体と凹部の斜面との間に前記紙類Ｐを差し込む場合に比べて抵抗が少なく、従って、前記球状体６７と前記第一凹部６２の斜面との間に前記紙類Ｐをより容易に挿入することができる。更に、前記紙類Ｐを前記第一凹部６２の斜面と前記球状体６７の間に差し込むと、前記紙類Ｐの動きに連れ回りして前記球状体６７が転がるので、前記紙類Ｐを通す際の抵抗が小さくなる。なお、この場合、前記球状体６７を前記紙類Ｐ側に押し付ける力は、軽量な前記球状体６７の自重による力だけであり、前記球状体６７が強く前記紙類Ｐに押し付けられることがないので、前記紙類Ｐをより容易に前記第一挿入口６３に送ることができる。
【００５９】
以上のように本発明は、内部に回転刃６が設けられた細断機本体６０の外殻体６１に、底部にスリット状の第一挿入口６３が形成された第一凹部６２を設け、この第一凹部６２に設置されると共に前記第一挿入口６３の短方向の寸法よりも径大な、アタッチメント６６を構成する阻止手段としての球状体６７を設け、この球状体６７が前記第一凹部６２に設置された状態で前記第一挿入口６３が前記球状体６７によって覆われるので、幼い子供の細い指等であっても、前記第一挿入口６３から挿入することができず、安全性を高めることができると共に、被細断物としての紙類Ｐを挿入する場合は、前記球状体６７の球面と前記第一凹部６２の斜面とで案内されるので、前記球状体６７によって前記第一挿入口６３が覆われた状態であっても、前記紙類Ｐを細断することができるものである。
【００６０】
また、前記球状体６７が回転体である球状に形成されていることで、前記第一凹部６２と前記球状体６７との間に前記紙類Ｐを通す際に、前記球状体６７が前記紙類Ｐに接すると、前記紙類Ｐの動きに連れ回りするので、前記第一凹部６２と前記球状体６７との間に前記紙類Ｐを通す際の抵抗が小さくなり、前記球状体６７によって前記第一挿入口６３が覆われた状態であっても、前記紙類Ｐを前記第一挿入口６３へ容易に挿入することができるものである。
【００６１】
次に、本発明の第七の実施形態について、図１４及び図１５に基づいて説明する。なお、上記実施形態と共通する部分については共通の符号を付し、その説明を省略する。また、上記各実施形態と同様に、図１５において、右側が前、左側が後である。７０は本発明の文書細断機を構成する細断機本体である。この細断機本体７０は、上方が開口した図示しないダストケースの前記開口部に載置されるように構成されている。また、前記細断機本体７０は、外殻体７１と、ガイド部材３と、可動掛部４と、操作部５と、回転刃６とを有して構成されている。そして、前記外殻体７１は、上外殻体７１Ａと下外殻体７１Ｂで構成されている。また、前記外殻体７１を構成する上外殻体７１Ａの上部には、細長い第一凹部７２が形成されていると共に、この第一凹部７２の底部には、被細断物としての紙類を挿入するためのスリット状の第一挿入口７３が形成されている。一方、前記外殻体７１を構成する下外殻体７１Ｂの下部には、前記第一挿入口７３に対応して、細長い開口部７４が形成されている。なお、前記第一凹部７２、第一挿入口７３及び開口部７４は、前記外殻体７１の幅方向とほぼ平行に延びて形成されている。また、前記上筐体７１Ａには、固定掛部７５が一体に形成されていると共に、前記上筐体７１Ａにおける前記固定掛部７５の反対側には、前記可動掛部４が取り付けられている。なお、前記可動掛部４は、前記上筐体７１Ａの幅方向にスライド可能に取り付けられていることによって、前記固定掛部７５との距離が調節可能に構成されている。また、前記ガイド部材３は、前記上外殻体７１Ａと下外殻体７１Ｂの間に挟持され、前記第一挿入口７３と開口部７４とを繋いで紙類を送る経路を構成するものであり、前記第一挿入口７３の短方向の寸法（即ち隙間）とほぼ同じ幅のスリット状の孔１１が形成されている。そして、前記ガイド部材３の下端３Ａは、前記開口部７４に挿入されることで、排出口１２を構成している。更に、前記第一挿入口７３から排出口１２までの経路は、前記文書細断機の使用状態において、上下方向に延びて形成されている。なお、前記ガイド部材３には、前記回転刃６を前記孔１１内に露出させるためのスリット状の刃窓１３が形成されている。
【００６２】
前記外殻体７１内には、図示しないスイッチが設けられており、このスイッチが前記操作部５によって操作可能とされている。また、前記外殻体７１内には、図示しない電動機及び減速機構から成る図示しない駆動機構が設けられており、この駆動機構の減速機構に、六角柱状に形成されたシャフト１４，１５が平行に取り付けられている。なお、これらのシャフト１４，１５は、前記第一挿入口７３と平行に設けられている。更に、これらのシャフト１４，１５には、円盤状の回転刃体１６が多数取り付けられている。そして、このように前記各シャフト１４，１５に前記回転刃体１６等を取り付けることで、前記回転刃６が構成されている。なお、前記回転刃体１６は金属製であり、その外周縁には周方向に細かい凹凸が形成されている。
【００６３】
前記外殻体７１を構成する前記上外殻体７１Ａに形成された前記第一凹部７２の長さ方向両端には、上下方向に延びた溝部７６が形成されており、この溝部７６にアタッチメント７７が設置される。そして、このアタッチメント７７には、阻止手段としての棒状体７８が設けられている。また、前記棒状体７８は、下面が円筒状の突曲面となっており、前記第一挿入口７３の短方向の寸法よりも太く形成されている。また、前記棒状体７８は、前記アタッチメント７７が前記溝部７６に取り付けられた状態において、円筒状の前記突曲面が前記第一凹部７２の斜面との間に微小な隙間を有している。なお、この隙間は、前記第一挿入口７３の短方向の寸法よりも狭く、且つ細断能力の上限となる紙類Ｐの枚数から導き出される厚さよりもやや広い寸法となっている。従って、前記アタッチメント７７の棒状体７８は、前記第一挿入口７３を完全に閉塞していないものの、前記第一凹部７２内で前記第一挿入口７３を上方から覆っている。更に、前記溝部７６には、この前記アタッチメント７７の両端に形成された差込部７９が嵌め込まれている。
【００６４】
次に、本実施形態の作用について説明する。まず、文書細断機を通常通り使用する場合について説明する。使用者が指の太い大人であり、指の細い子供が使用する虞のない場合、前記第一挿入口７３に使用者の指が入る虞がないので、前記アタッチメント７７を前記第一凹部７２に取り付けなくても安全性を確保できる。そして、このように前記第一凹部７２に前記アタッチメント７７を取り付けていない状態では、前記第一挿入口７３が露出していることから、前記第一凹部７２によって紙類Ｐを前記第一挿入口７３に導きやすいことと相まって、前記第一挿入口７３に紙類Ｐが挿入しやすい。
【００６５】
次に、前記細断機本体７０の第一凹部７２に前記アタッチメント７７を取り付けて使用する場合について説明する。指の細い子供が使用する虞がある場合、前記第一挿入口７３に使用者の指が入る虞があるので、前記アタッチメント７７を前記第一凹部７２に取り付ける。この際、前記アタッチメント７７は、これを構成する差込部７９を前記第一凹部７２に形成された前記溝部７６に嵌め込むことで、前記第一凹部７２に取り付けられる。そして、このように前記第一凹部７２に前記アタッチメント７７を取り付けた状態では、このアタッチメント７７の棒状体７８によって前記第一挿入口７３が上方から覆われていることで、前記アタッチメント７７を前記第一凹部７２に取り付けていない状態に比べて前記第一挿入口７３に紙類Ｐを挿入しにくいものの、前記第一挿入口７３が殆ど露出していないことで、たとえ幼い子供の細い指であったとしても、前記第一挿入口７３に挿入できてしまうことがないので、前記アタッチメント７７を使用しない場合よりも安全性を高めることができる。なお、前記第一凹部７２と棒状体７８との間から指を差し込もうとしても、前記第一凹部７２の斜面と前記棒状体７８との隙間が前記第一挿入口７３の短方向の寸法よりも狭くなっていると共に、前記第一挿入口７３の上方が前記棒状体７８によって覆われていることで挿入経路が直線状にならないため、使用者の指がより前記第一挿入口７３に入りにくいようにすることができる。
【００６６】
一方、このように前記第一凹部７２に前記アタッチメント７７を取り付けた状態で前記紙類Ｐを細断する場合、前記紙類Ｐを前記第一凹部７２の斜面と前記棒状体７８の間に差し込む。この際、前記紙類Ｐは、前記第一凹部７２の斜面と前記棒状体７８の突曲面に案内されて、前記第一凹部７２の斜面と前記棒状体７８の間に差し込まれることになる。なお、前記第一凹部７２の斜面と前記棒状体７８の突曲面との間に僅かな隙間が形成されていることで、挿入される前記紙類Ｐの枚数が細断能力の範囲内である場合は前記棒状体７８が前記紙類Ｐに押し付けられないので、前記紙類Ｐは容易に前記第一凹部７２の斜面と前記棒状体７８の間に差し込まれることになる。一方、前記第一凹部７２の斜面と前記棒状体７８の突曲面との間に挿入しようとする前記紙類Ｐの枚数が細断能力を超える場合、前記紙類Ｐは前記第一凹部７２の斜面と前記棒状体７８の間に差し込まれない。
【００６７】
以上のように本発明は、内部に回転刃６が設けられた細断機本体７０の外殻体７１に、底部にスリット状の第一挿入口７３が形成された第一凹部７２を設け、この第一凹部７２に設置されると共に前記第一挿入口７３の短方向の寸法よりも太い、アタッチメント７７を構成する阻止手段としての棒状体７８を設け、この棒状体７８が前記第一凹部７２に設置された状態で前記第一挿入口７３が前記棒状体７８によって覆われるので、幼い子供の細い指等であっても、前記第一挿入口７３から挿入することができず、安全性を高めることができると共に、被細断物としての紙類Ｐを挿入する場合は、前記棒状体７８の突曲面と前記第一凹部７２の斜面とで案内されるので、前記棒状体７８によって前記第一挿入口７３が覆われた状態であっても、前記紙類Ｐを細断することができるものである。
【００６８】
なお、本発明は以上の実施形態に限定されるものではなく、発明の要旨の範囲内で種々の変形実施が可能である。例えば、上記各実施形態において、棒状体の脱落防止のための構造は適宜選択可能である。（例えば、第六の実施形態で採用した球状体のためのストッパーを、棒状体の脱落防止のために使用することも可能である。）また、上記各実施形態では、回転体として円筒形状の棒状体或いは球状体を用いたが、これ以外の形状の阻止手段、例えば楕球状のものを用いてもよい。
【図面の簡単な説明】
【００６９】
【図１】本発明の第一の実施形態を示す文書細断機の平面図である。
【図２】同上、Ａ−Ａ拡大断面図である。
【図３】同上、説明図である。
【図４】本発明の第二の実施形態を示す文書細断機の平面図である。
【図５】同上、Ａ−Ａ断面図である。
【図６】本発明の第三の実施形態を示す文書細断機の平面図である。
【図７】同上、Ａ−Ａ拡大断面図である。
【図８】本発明の第四の実施形態を示す文書細断機の平面図である。
【図９】同上、Ａ−Ａ拡大断面図である。
【図１０】本発明の第五の実施形態を示す文書細断機の平面図である。
【図１１】同上、Ａ−Ａ拡大断面図である。
【図１２】本発明の第六の実施形態を示す文書細断機の平面図である。
【図１３】同上、Ａ−Ａ拡大断面図である。
【図１４】本発明の第七の実施形態を示す文書細断機の平面図である。
【図１５】同上、Ａ−Ａ拡大断面図である。
【符号の説明】
【００７０】
１，４０，５０，６０，７０  細断機本体
２，４１，５１，６１，７１  外殻体
６  回転刃
７，４２，５２，６２，７２  第一凹部（凹部）
８，４３，５３，６３，７３  第一挿入口
１７，２１，３２，４７，５７，７８  棒状体（阻止手段）
２０，３０，６６，７７  アタッチメント
３１  枠体
３３  第二凹部
３４  第二挿入口
６７  球状体（阻止手段）
Ｐ  紙類
【図１】
2008080247.tif 000003
【図２】
2008080247.tif 000004
【図３】
2008080247.tif 000005
【図４】
2008080247.tif 000006
【図５】
2008080247.tif 000007
【図６】
2008080247.tif 000008
【図７】
2008080247.tif 000009
【図８】
2008080247.tif 000010
【図９】
2008080247.tif 000011
【図１０】
2008080247.tif 000012
【図１１】
2008080247.tif 000013
【図１２】
2008080247.tif 000014
【図１３】
2008080247.tif 000015
【図１４】
2008080247.tif 000016
【図１５】
2008080247.tif 000017